(57)【要約】【課題】紙葉類の長さ寸法を正確に測定でき、また、透過光量データを適切に補正して真正紙葉類の受付率が向上し、更には偽造紙葉類排除性能の低下を回避できる紙葉類識別装置を提供する。【解決手段】紙葉類の長さ寸法の理想搬送量は、第１区間の理想搬送量に第２区間の理想搬送量を加算した値であり、また、第３区間の理想搬送量に第２区間の理想搬送量を加算した値である。一方、投入紙葉類の長さ寸法は、第１区間の実測搬送量に第２区間の実測搬送量を加算した値であり、また、第３区間の実測搬送量に第２区間の実測搬送量を加算した値である。そこで、投入紙葉類と真正紙葉類の長さ寸法の差を判定するときは、スリップによる差を極力排除するため、投入紙葉類の第１区間又は第３区間の搬送量を真正紙葉類の理想搬送量に置き換え、第２区間の実測搬送量と理想搬送量との差に基づいて判定することとした。【選択図】　図４
2004086678.tif 000002
【特許請求の範囲】
【請求項１】
紙葉類を搬送する搬送手段と、該搬送手段で搬送された紙葉類を案内する紙葉類搬送路と、該紙葉類搬送路を間にして一方に配置され紙葉類に光を照射する発光素子と、該紙葉類搬送路を間にして他方に配置され紙葉類を通過した光を受光する受光素子と、紙葉類の真偽判定手法として受光素子の検知データに基づき紙葉類の長さ寸法を測定して紙葉類の真偽を判定する手法を有する判定手段とを備えたもので、前記紙葉類搬送路は該発光素子の照射光が紙葉類の１箇所に照射される第１区間と、該第１区間に続いて重なった紙葉類の２箇所に照射される第２区間と、第２区間に続いて紙葉類の１箇所に照射される第３区間とを有する紙葉類識別装置において、
前記判定手段は、第２区間における紙葉類の実測搬送量と予め設定された第２区間の理想搬送量とを比較して紙葉類の長さを判定する
ことを特徴とする紙葉類識別装置。
【請求項２】
第２区間における紙葉類の実測搬送量は、第１区間又は第３区間の実測搬送量と第１又は第３区間の理想搬送量との比較に基づき補正される
ことを特徴とする請求項１記載の紙葉類識別装置。
【請求項３】
前記判定手段は、第１区間又は第３区間の何れか一方における紙葉類の実測搬送量又は平均搬送量が予め設定された第１区間又は第３区間の設定許容搬送量より大きくなったときは前記搬送手段が劣化したと判定する
ことを特徴とする請求項１又は請求項２記載の紙葉類識別装置。
【請求項４】
前記搬送手段の劣化判定を表示する表示手段を有する
ことを特徴とする請求項３記載の紙葉類識別装置。
【請求項５】
紙葉類を搬送する搬送手段と、該搬送手段で搬送された紙葉類を案内する紙葉類搬送路と、該紙葉類搬送路を間にして一方に配置され紙葉類に光を照射する発光素子と、該紙葉類搬送路を間にして他方に配置され紙葉類を通過した光を受光する受光素子と、紙葉類の真偽判定手法として受光素子の透過光量データに基づき紙葉類の真偽を判定する手法を有する判定手段とを備えたもので、前記紙葉類搬送路は該発光素子の照射光が紙葉類の１箇所に照射される第１区間と、該第１区間に続いて重なった紙葉類の２箇所に照射される第２区間と、第２区間に続いて紙葉類の１箇所に照射される第３区間とを有する紙葉類識別装置において、
前記判定手段は、紙葉類が第１区間から第２区間に搬送されたとき、又は、紙葉類が第２区間から第３区間に搬送されたときの少なくとも一方で、透過光量データを予め定められた理想搬送量に基づく透過光量データと対応するよう記憶部に格納する
ことを特徴とする紙葉類識別装置。
【発明の詳細な説明】
【０００１】
【発明の属する技術分野】
本発明は、紙葉類、例えば投入された紙幣の真偽を判定しこれを収納又は返却する紙葉類識別装置に関するものである。
【０００２】
【従来の技術】
従来、この種の紙葉類識別装置として、自動販売機に搭載された紙幣識別装置が一般的に知られている。
【０００３】
この紙幣識別装置は紙幣の真偽を判定する手法として、紙幣の長さ判定、紙幣の透過光量（検出電圧）判定などの各種の手法を備えており、これらを複合的に用いて紙幣の真偽を判定している。
【０００４】
まず、紙幣の長さ判定手法について説明する。この判定手法は紙幣投入口から投入された紙幣をベルト搬送装置により取り込みこれに発光素子から光を照射する一方、紙幣を透過した光を受光素子にて受光し、この受光データに基づき投入紙幣の長さ寸法を実測している。また、紙幣処理装置には真貨に相当する長さ寸法（理想値）が予め格納されている。この実測値と理想値とを比較して、紙幣の真偽を判定している。
【０００５】
続いて、透過光量判定手法について説明する。この判定手法は前記手法と同様に紙幣を透過した光を受光素子で受光し、この透過光量データ（検出電圧データ）を紙幣搬送に従って逐次格納する。また、紙幣処理装置には真貨投入時の透過光量データが予め格納されている。投入紙幣の実測透過光量データと真貨の透過光量データとを比較し、紙幣の真貨を判定している。
【０００６】
【発明が解決しようとする課題】
ところで、ベルト搬送装置はベルトへの塵埃の付着やベルト摩耗等により紙幣とベルトの間でスリップを起こし、紙幣の搬送量が漸次低下する傾向がある。この結果、投入貨幣が真貨であっても前者の長さ判定手法ではその実測値が偽貨に相当する値となったり、後者の透過光量判定手法では実測透過光量データが真貨透過光量データから大きくずれ、偽貨と判定される事態が頻繁に起き、真貨受付率が著しく低下するという問題点を有していた。
【０００７】
このような問題点を解決するため、例えば特開平１０−２５５０９８号公報に記載されたものが提案されている。この公報に記載された紙幣識別装置では、前者の長さ判定手法で測定された実測値と理想値とのズレを比率計算する。透過光量判定手法では、このズレ比率に基づき実測透過光量データを補正する。その上で補正透過光量データと真貨透過光量データを比較（波形比較）して真偽を判定するようになっている。
【０００８】
しかしながら、ズレ比率のもととなる値が紙幣投入から収納に至る全体の実測値となっているため、公報に記載された紙幣識別装置ではズレ比率が大きく、その分大きく補正する。この結果、偽貨も補正により真貨と判定されるおそれが生じ、偽貨排除性能を阻害するという問題点を有していた。
【０００９】
本発明の目的は前記従来の課題に鑑み、紙葉類の長さ寸法を正確に測定でき、また、透過光量データを適切に補正して真正紙葉類の受付率が向上し、更には偽造紙葉類排除性能の低下を回避できる紙葉類識別装置を提供することにある。
【００１０】
【課題を解決するための手段】
本発明は前記課題を解決するため、請求項１の発明は、紙葉類を搬送する搬送手段と、搬送手段で搬送された紙葉類を案内する紙葉類搬送路と、紙葉類搬送路を間にして一方に配置され紙葉類に光を照射する発光素子と、紙葉類搬送路を間にして他方に配置され紙葉類を通過した光を受光する受光素子と、紙葉類の真偽判定手法として受光素子の検知データに基づき紙葉類の長さ寸法を測定して紙葉類の真偽を判定する手法を有する判定手段とを備えたもので、紙葉類搬送路は発光素子の照射光が紙葉類の１箇所に照射される第１区間と、第１区間に続いて重なった紙葉類の２箇所に照射される第２区間と、第２区間に続いて紙葉類の１箇所に照射される第３区間とを有する紙葉類識別装置において、判定手段は、第２区間における紙葉類の実測搬送量と予め設定された第２区間の理想搬送量とを比較して紙葉類の長さを判定する。
【００１１】
紙葉類の長さ寸法の理想搬送量（真正の紙葉類がスリップすることなく搬送されたときの搬送量）は、第１区間の理想搬送量に第２区間の理想搬送量を加算した値であり、或いは、第３区間の理想搬送量に第２区間の理想搬送量を加算した値である。一方、投入紙葉類の長さ寸法は、第１区間の実測搬送量に第２区間の実測搬送量を加算した値であり、或いは、第３区間の実測搬送量に第２区間の実測搬送量を加算した値である。
【００１２】
ここで、第１区間及び第３区間の理想搬送量と実測搬送量との差は紙葉類のスリップによる差であり、真正紙葉類と投入紙葉類の長さ寸法による差ではない。一方、第２区間の理想搬送量と実測搬送量との差は紙葉類のスリップによる差と長さ寸法の長短による差の両者による。即ち、紙葉類の長さ寸法が長いときは第２区間の搬送量が大きく、短いときは第２区間の搬送量が小さくなる。
【００１３】
そこで、投入紙葉類と真正紙葉類の長さ寸法の差を判定するときは、スリップによる差を極力排除するため、投入紙葉類の第１区間又は第３区間の搬送量を真正紙葉類の理想搬送量に置き換え、第２区間の実測搬送量と理想搬送量との差に基づいて判定することとした。これにより、紙葉類の長さ判定手法に基づく紙葉類の真偽判定の精度が向上する。
【００１４】
請求項２の発明は、請求項１に係る紙葉類識別装置において、第２区間における紙葉類の実測搬送量は、第１区間又は第３区間の実測搬送量と第１又は第３区間の理想搬送量との比較に基づき補正される。
【００１５】
請求項２の発明によれば、第２区間の実測搬送量が第１又は第３区間の実測搬送量と理想搬送量との比較、例えば実測搬送量と理想搬送量からスリップによるスベリ割合を計算し、このスベリ割合に基づき第２区間の実測搬送量を演算補正し、第２区間の補正実測搬送量を求める。これにより、スリップ影響の少ない第２区間の実測搬送量が得られる。
【００１６】
請求項３の発明は、請求項１又は請求項２に係る紙葉類識別装置において、判定手段は、第１区間又は第３区間の何れか一方における紙葉類の実測搬送量又は平均搬送量が予め設定された第１区間又は第３区間の設定許容搬送量より大きくなったときは搬送手段が劣化したと判定する。
【００１７】
請求項３の発明によれば、実測搬送量がその許容搬送量よりも大きくなったときは、紙葉類の真偽の判定が不適当な状態となっているため、例えば紙葉類の返却を指令することとなる。
【００１８】
請求項４の発明は、搬送手段の劣化判定を表示する表示手段を有するので、劣化判定を外部に報知することができる。
【００１９】
請求項５の発明は、紙葉類を搬送する搬送手段と、搬送手段で搬送された紙葉類を案内する紙葉類搬送路と、紙葉類搬送路を間にして一方に配置され紙葉類に光を照射する発光素子と、紙葉類搬送路を間にして他方に配置され紙葉類を通過した光を受光する受光素子と、紙葉類の真偽判定手法として受光素子の透過光量データに基づき紙葉類の真偽を判定する手法を有する判定手段とを備えたもので、紙葉類搬送路は発光素子の照射光が紙葉類の１枚に照射される第１区間と、第１区間に続いて重なった紙葉類の２枚に照射される第２区間と、第２区間に続いて紙葉類の１枚に照射される第３区間とを有する紙葉類識別装置において、判定手段は、紙葉類が第１区間から第２区間に搬送されたとき、又は、紙葉類が第２区間から第３区間に搬送されたときの少なくとも一方で、透過光量データを予め定められた理想搬送量に基づく透過光量データと対応するよう記憶部に格納する。
【００２０】
紙葉類の搬送過程で逐次透過光量データが格納されるが、紙葉類の搬送が進むにつれて実測透過光量データと理想搬送量に基づく透過光量データのズレが大きくなる。
【００２１】
請求項５の発明によれば、紙葉類が第１区間から第２区間に入ったとき、或いは、第２区間から第３区間に入ったとき、又は、その両者で理想搬送量の透過光量データと対応するよう格納されるため、第２区間の前後で透過光量データの格納部位が適正位置に戻され、実測透過光量データの全体のズレが抑制される。
【００２２】
【発明の実施の形態】
図１乃至図８は本発明に係る紙葉類識別装置、例えば紙幣識別装置の第１実施形態と第２実施形態を示すもので、まず、これらの実施形態の共通する構成を図１乃至図４を参照して説明する。ここで、図１は紙幣識別装置の内部構造を示す縦断面図、図２は図１のＡ−Ａ線矢視方向の断面図、図３は紙幣の濃度パターン検出工程を示す説明図、図４は紙幣識別装置の制御系統を概略的に示すブロック図である。
【００２３】
まず、図１及び図２を参照して紙幣識別装置の全体構造を説明する。この紙幣識別装置１は、上部に投入紙幣１１の真偽を識別する識別部２を有し、識別部２の下部には真貨と判定された紙幣１１を収納する収納部３とから構成されている。この識別部２は外部に開口した紙幣投入口２１と、紙幣１１を搬送するベルト搬送装置２２と、紙幣１１を収納部３へ導く紙幣搬送路２３とを有している。この紙幣投入口２１は水平に延在され、また、紙幣投入口２１に続いて紙幣搬送路２３が逆Ｕ字状に形成され、更に、ベルト搬送装置２２は紙幣搬送路２３に沿って配置されている。これにより、紙幣投入口２１を通じて水平に挿入された紙幣１１は、ベルト搬送装置２２のモータ２２１の駆動によりベルト２２２が回転して矢印に示すように上下に搬送され、紙幣搬送路２３を通るとき前後で重なるように搬送される。
【００２４】
識別部２はこの搬送紙幣１１の真偽を以下の機器により判定する。発光素子（例えばＬＥＤ）２４１，２５１と受光素子（例えばＰＤ）２４２，２５２とからなる光検出素子を２組有している。ここで、発光素子２４１，２５１は紙幣搬送路２３の入口寄りに設置され、受光素子２４２，２５２は紙幣搬送路２３の出口寄りに設置され、また、各素子２４１，２４２及び各素子２５１，２５２の間に光を誘導する光誘導路（例えば光ファイバ）２４３，２５３が設置されている。これにより、発光素子２４１，２５１から照射された光が投入紙幣１１に対して交叉するよう通過し受光素子２４２，２５２で透過光量を検出するようになっている。更に、発光素子２４１，２５１と受光素子２４２，２５２との位置は図２に示すように搬送方向と直交する方向にずれており、これにより、２組の発光・受光素子２４１，２４２と発光・受光素子２５１，２５２により投入紙幣１１の４つのラインを検出している。
【００２５】
このように配置された発光・受光素子２４１，２４２，２５１，２５２の紙幣検出工程を図３を参照して説明する。即ち、紙幣投入口２１に挿入された紙幣１１は、ベルト搬送装置２２の駆動により紙幣搬送路２３に入り込み、発光素子２４１，２５１の照射光が紙幣１１の先端に照射される（この照射部位を第１交叉部Ｃ１ａ，Ｃ２ａという）。この１箇所照射状態が継続され（第１区間Ｓ１という）、その後、紙幣１１の先端が受光素子２４２，２５２の位置に移動し、発光素子２４１，２５１の照射光が紙幣１１の前後で２箇所に照射される（この照射部位を第２交叉部Ｃ１ｂ，Ｃ２ｂという）。この２箇所照射状態が継続され（第２区間Ｓ２という）、その後、紙幣１１の後端が第１交叉部Ｃ１から外れ第２交叉部Ｃ２のみに照射光が照射される状態が継続する（第３区間Ｓ３という）。
【００２６】
このように第１区間Ｓ１から第３区間Ｓ３に亘って移動するとき、図３に示すように、第１区間Ｓ１では発光・受光素子２４１，２４２により紙幣１１のラインＬ１ａに亘って透過光量データが検出され、また、発光・受光素子２５１，２５２により紙幣１１のラインＬ２ａに亘って透過光量データが検出される。また、第２区間Ｓ２では発光・受光素子２４１，２４２により紙幣１１のラインＬ１ｂに亘って透過光量データが検出され、また、発光・受光素子２５１，２５２により紙幣１１のラインＬ２ｂに亘って透過光量データが検出される。更に、第３区間Ｓ３では発光・受光素子２４１，２４２により紙幣１１のラインＬ１ｃに亘って透過光量データが検出され、また、発光・受光素子２５１，２５２により紙幣１１のラインＬ２ｃに亘って透過光量データが検出される。
【００２７】
このような識別部２を制御系ブロック図で示すと図４に示す如く構成されている。即ち、マイクロコンピュータ（マイコン４）の制御系を備え、紙幣投入検出センサ５、受光素子２４２，２５２、エンコーダ６から信号に基づき、マイコン４はモータ駆動回路２２１ａを介してモータ２２１を駆動制御し、発光素子駆動回路２４１ａ，２５１ａを介して発光素子２４１，２５２を駆動制御し、表示装置駆動回路７ａを介して表示装置７（例えば警報ランプ）を駆動する。ここで、紙幣投入検出センサ５は紙幣投入口２１に紙幣１１が投入されたか否かを検知するもので、紙幣１１が投入されたときモータ２２１を駆動する。また、受光素子２４２，２５２の検出データ（紙幣における照射光の透過光量データ）は増幅器２４２ａ，２５２ａで増幅され、更にＡ／Ｄ変換器２４２ｂ，２５２ｂでデジタル信号に変換してマイコン４に入力される。エンコーダ６はモータ２２１の回転角に対応してパルス信号を発生するもので、このパルス信号に同期してＡ／Ｄ変換器２４２ｂ，２５２ｂが受光素子２４２，２５２の検出データをデジタル信号に変換してマイコン４に入力している。
【００２８】
マイコン４はＣＰＵ４１と基準値格納記憶部４２と透過光量データ記憶部４３とを有しており、基準値格納部記憶部４２には、真貨を投入した際、第１区間Ｓ１、第２区間Ｓ２及び第３区間Ｓ３でエンコータ６のパルス信号に同期して得られるであろう、基準透過光量データ（理想透過光量データ）が所定アドレスに記憶されている。一方、透過光量データ記憶部４３は紙幣１１の投入により実測された透過光量データが記憶されるもので、第１区間Ｓ１、第２区間Ｓ２及び第３区間Ｓ３でエンコータ６のパルス信号に同期して得られた透過光量データが記憶される。ＣＰＵ４１は、紙幣１１の長さを判定する長さ判定手段と、理想透過光量データと実測透過光量データを比較し投入紙幣１１の真偽を判定する真偽判定手段を備えている。
【００２９】
以上のように構成された紙幣識別装置１において、第１実施形態は長さ判定手段により紙幣１１の長さを判定するものであり、これを図５を参照して説明する。
【００３０】
図５のグラフにおいて、縦軸には受光素子２４２で検出された透過光量データ（受光素子２５２で検出された透過光量データでもよい）を電圧で表示し、横軸には時間を表示していている。ここで、実線で示す波形は第１区間Ｓ１、第２区間Ｓ２及び第３区間Ｓ３に亘る理想透過光量データを示し、破線で示す波形は第１区間Ｓ１、第２区間Ｓ２及び第３区間Ｓ３に亘る実測透過光量データを示している。また、この波形データはエンコーダ６のパルス信号に同期して得られたものである。また、エンコーダ６のパルス信号数をモータ２２１の紙幣搬送量（例えば１パルスあたり０．５ｍｍ）として置き換えることができるので、第１区間Ｓ１、第２区間Ｓ２及び第３区間Ｓ３のパルス数を計数することにより紙幣１１の長さ寸法を測定することができる。
【００３１】
図５のグラフにおいて、理想透過光量データと実測透過光量データを比較するとき、第１区間Ｓ１、第２区間Ｓ２、第３区間Ｓ３と進むにつれて、実測透過光量データが理想透過光量データから大きくズレていることが理解できる。このズレを紙幣搬送量の点から考察すれば、実測搬送量が理想搬送量から大きくズレていることが理解できる。この原因は、ベルト搬送装置２２のベルト２２２と紙幣１１との間でスリップを起こしていることによるものであり、このスリップによるズレ（長寸法の誤差）を極力小さくしなければ実質的には紙幣１１の真偽判定ができない。
【００３２】
紙幣１１の長さ寸法の理想搬送量は、第１区間Ｓ１の理想搬送量に第２区間Ｓ２の理想搬送量を加算した値であり、或いは、第３区間Ｓ３の理想搬送量に第２区間Ｓ２の理想搬送量を加算した値である。一方、投入紙幣１１の長さ寸法は、第１区間Ｓ１の実測搬送量に第２区間Ｓ２の実測搬送量を加算した値であり、或いは、第３区間Ｓ３の実測搬送量に第２区間Ｓ２の実測搬送量を加算した値である。
【００３３】
ここで、第１区間Ｓ１及び第３区間Ｓ３の理想搬送量と実測搬送量との差は紙幣１１のスリップによる差であり、真貨紙幣と投入紙幣１１の長さ寸法による差ではない。一方、第２区間Ｓ２の理想搬送量と実測搬送量との差は紙幣１１のスリップによる差と長さ寸法の長短による差の両者による。即ち、紙幣１１の長さ寸法が長いときは第２区間Ｓ２の搬送量が大きく、短いときは第２区間の搬送量が小さくなる。
【００３４】
そこで、投入紙幣１１の長さ寸法を判定する際、紙幣１１のスリップ誤差を極力小さくして投入紙幣１１の実際の長さ寸法を把握するため、以下の計算式で投入紙幣１１の長さ寸法を演算することとした。
【００３５】
Ｍ＝（Ｘｎ＋Ｙｎ）×Ｋ
Ｍ；投入紙幣の長さ寸法、Ｘｎ；第２区間Ｓ２の実測パルス数、Ｙｎ；第３区間Ｓ３の理想パルス数、Ｋ；１パルスあたりの搬送量
これにより、投入紙幣１１の寸法を演算するにあたり第３区間Ｓ３の理想搬送量を用いているので（第３区間Ｓ３の実測搬送量を用いていないので）、スリップ誤差が第２区間Ｓ２のみとなり、紙幣長さによる真偽判定が精度よく行うことができる。
【００３６】
上記計算式では第３区間Ｓ３の理想パルス数を取り込んでいるが、これの代わりに第１区間Ｓ１の理想パルス数を計算式に取り込むようにしてもよい。なお、第１区間Ｓ１から第２区間Ｓ２に移行したか否か、或いは、第２区間Ｓ２から第３区間Ｓ３に移行したか否かは基準レベルＺ１より判定すればよく、また、第１区間Ｓ１に入ったか否か、或いは、第３区間Ｓ３が終了したか否かは基準レベルＺ２により判定すればよい。
【００３７】
本実施形態の例２では、第３区間の実測パルス数と理想パルス数からスベリ割合を求め、このスベリ割合から第２区間Ｓ２の実測パルス数を補正したもので、この補正値を前述した例１の第２区間Ｓ２の実測パルス数に置き換えて演算している。即ち、
Ｘｎ１＝Ｘｎ×（Ｙｎ１／Ｙｎ）
Ｘｎ；第２区間Ｓ２の実測パルス数、Ｘｎ１；第２区間Ｓ２の補正パルス数、
Ｙｎ；第３区間Ｓ３の理想パルス数、Ｙｎ１；第３区間Ｓ３の実測パルス数
これにより、第２区間Ｓ２の実測パルス数がスベリ割合により補正され、これを上記計算式で求めたＸｎ１を例１のＸｎに置き換える。即ち、
Ｍ＝（Ｘｎ１＋Ｙｎ）×Ｋ
Ｍ；投入紙幣の長さ寸法、Ｋ；１パルスあたりの搬送量
これにより、第２区間Ｓ２の実測パルス数がスベリ割合で補正された分、更に紙幣長さによる真偽判定精度が向上する。
【００３８】
なお、スベリ割合を第３区間Ｓ３の実測パルス数及び理想パルス数に基づき計算したが、第１区間Ｓ１に基づいて計算するようにしてもよい。但し、第３区間Ｓ３の代わりに第１区間Ｓ１を計算式に取り込むときは、紙幣投入口２１から紙幣１１を投入する際の押し込み力が搬送量に影響を与えるおそれがあることを考慮しなければならない。
【００３９】
以上のようにして投入紙幣１１の長さ寸法を計算したときは、これが真貨の長さ寸法の許容範囲内にあるときは真貨として受け入れ、一方、許容範囲外となっているときは、モータ２２１を逆転し紙幣１１を戻す。また、スベリ割合が大きいときは、表示装置駆動回路７ａを介してベルト搬出装置２２が劣化していることを表示装置７に表示する。
【００４０】
図６乃至図８は紙幣識別装置の第２実施形態を示すものである。この実施形態に係る真偽判定は透過光量判定手法に基づくものであり、基準格納記憶部４２に予め記憶されている真正紙幣に基づく波形データと透過光量記憶部４３に格納された実測波形データとを比較し、投入紙幣１１の真偽を判定している。本実施形態の特徴を図６及び図７のフローチャートと図８の透過光量データを比較したグラフを参照して説明する。
【００４１】
即ち、紙幣１１が投入されたときは、受光素子２４２で検出された透過光量データをエンコーダ６のパルス信号に同期してサンプリングしデジタルデータＰｘ（透過光量に相当する電圧データ）として取得する（ＳＴ１）。ここで、データＰｘが２４０（第１実施形態に基準レベルＺ２に相当）より低くなったとき第１区間Ｓ１に入ったと判定され、格納アドレスカウンタＣＯＵで示されたアドレスポイント、即ち、透過光量記憶部４３の所定の第１区間Ｓ１に対応するアドレスポイントＡＰ１を選択する（ＳＴ２，ＳＴ３）。この第１区間Ｓ１ではデータＰｘが５０（第１実施形態の基準レベルＺ１に相当）より低くなるまでパルス信号に同期して格納アドレスカウンタＣＯＵで示すアドレスに記憶していく（ＳＴ４〜ＳＴ７）。そして、次に検出されたデータＰｘは次のアドレスに格納され順次１個ずつ更新して記憶していく（ＳＴ８）。ここで、データＰｘが５０より低くなったと判定したときは、第２区間Ｓ２に入ったと判定し、格納アドレスカウンタＣＯＵで示されたアドレスポイント、即ち、透過光量記憶部４３の第２区間Ｓ２に対応するアドレスポイントＡＰ２を選択する（ＳＴ９）。
【００４２】
なお、第１区間Ｓ１で記憶すべきアドレスが理想パルス数の最終アドレスよりも大きくなったときは、アドレスポイントＡＰ２に上書きして記憶され、第２区間Ｓ２に移行した際、強制的にアドレスポイントＡＰ２の初期アドレスに戻り順次上書き記憶される。一方、第１区間Ｓ１で記憶すべき最終データが理想パルス数の最終アドレスに満たないときは、後続するアドレスポイントＡＰ１には初期状態のデータゼロの状態が保持される。
【００４３】
この第２区間Ｓ２ではデータＰｘが５０より高くなるまで、前記第１区間Ｓ１の場合と同様に、パルス信号に同期してアドレスを１個ずつ更新して記憶していく（ＳＴ１０〜ＳＴ１４）。ここで、データＰｘが５０より高くなったと判定したときは、第３区間Ｓ３に入ったと判定し、格納アドレスカウンタＣＯＵで示されたアドレスポイント、即ち、透過光量記憶部４３の第３区間Ｓ３に対応するアドレスポイントＡＰ３を選択する（ＳＴ１５）。
【００４４】
なお、第２区間Ｓ２で記憶すべきアドレスが理想パルス数の最終アドレスよりも大きくなったときは、前記第１区間Ｓ１と同様に、アドレスポイントＡＰ３に上書きして記憶され、第３区間Ｓ３に移行した際、強制的にアドレスポイントＡＰ３の初期アドレスに戻り順次上書き記憶される。一方、第２区間Ｓ２で記憶すべき最終データが理想パルス数の最終アドレスに満たないときは、後続するアドレスＡＰ２には初期状態のデータゼロの状態が保持される。
【００４５】
この第３区間Ｓ３ではデータＰｘが２４０より高くなるまで、これまた、パルス信号に同期してアドレスを１個ずつ更新して記憶していく（ＳＴ１６〜ＳＴ２０）。ここで、データＰｘが２４０より高くなったと判定したときは、紙幣１１が第３区間Ｓ３から出たと判定しサンプリングを終了する。
【００４６】
以上のように本実施形態に係る紙幣識別装置１は第１区間Ｓ１から第２区間Ｓ２に移行する際にアドレスポイントＡＰ１をアドレスポイントＡＰ２に変更し、また、第２区間Ｓ２から第３区間Ｓ３に移行する際にアドレスポイントＡＰ２をアドレスポイントＡＰ３に変更する。
【００４７】
これにより、第２区間Ｓ２の初期実測データが常に第２区間Ｓ２の理想パルス数に対応する初期アドレスポイントＡＰ２に記憶され、また、第３区間Ｓ３の初期実測データが第３区間Ｓ３の理想パルス数に対応する初期アドレスポイントＡＰ３に記憶されるため、理想透過光量データ（実線で示す）と実測透過光量データ（破線で示す）を比較すると、図８に示すように、第１区間Ｓ１から第３区間Ｓ３に亘るスリップ誤差が極めて小さくなり、波形判定が正確に行われ、真偽判定の精度が向上する。
【００４８】
なお、第１区間Ｓ１から第２区間Ｓ２へ移行する際、第２区間Ｓ２から第３区間Ｓ３に移行する際、それぞれアドレスポイントを強制変更しているが、一方のみを強制変更するときでも、真偽判定の精度が向上することは勿論である。
【００４９】
【発明の効果】
以上説明したように、請求項１乃至請求項４の発明によれば、判定手段は、第２区間における紙葉類の実測搬送量と予め設定された第２区間の理想搬送量とを比較して紙葉類の長さを判定するため、紙葉類の長さ判定精度が向上し、更には真正紙葉類の受付率が向上するという利点を有する。
【００５０】
請求項５の発明によれば、第２区間の前後で透過光量データの格納部位が適正位置に戻され、実測透過光量データの全体のズレが抑制されるため、紙葉類の真偽判定精度が向上し、更には真正紙葉類の受付率が向上するという利点を有する。
【図面の簡単な説明】
【図１】紙幣識別装置の内部構造を示す縦断面図
【図２】図１のＡ−Ａ線矢視方向の断面図
【図３】紙幣の濃度パターン検出工程を示す説明図
【図４】紙幣識別装置の制御系統を概略的に示すブロック図
【図５】透過光量の変化を示すグラフ
【図６】第２実施形態に係る紙幣識別装置の制御フローチャートのその１
【図７】第２実施形態に係る紙幣識別装置の制御フローチャートのその２
【図８】第２実施形態に係る透過光量の変化を示すグラフ
【符号の説明】
１…紙幣識別装置、２…識別部、３…収納部、４…マイコン、７…表示装置、１１…紙幣、２１…紙幣投入口、２２…ベルト搬送装置、２３…紙幣搬送路、２２１…モータ。
【図１】
2004086678.tif 000003
【図２】
2004086678.tif 000004
【図３】
2004086678.tif 000005
【図４】
2004086678.tif 000006
【図５】
2004086678.tif 000007
【図６】
2004086678.tif 000008
【図７】
2004086678.tif 000009
【図８】
2004086678.tif 000010